【手続補正書】
【提出日】平成27年8月5日(2015.8.5)
【手続補正１】
【補正対象書類名】明細書
【補正対象項目名】００１１
【補正方法】変更
【補正の内容】
【００１１】
本発明に係る撮像装置は、被写体からの反射光を電気信号に変換して出力する撮像素子と、前記撮像素子への入射光量を制御する絞りと、前記撮像素子が前記反射光を受けて電荷を蓄積する電荷蓄積時間を制御するシャッタと、本撮影を実行する前に前記被写体に対するオートフォーカスを実行するオートフォーカス手段と、前記オートフォーカスを実行する際に、被写体輝度に応じて前記絞りの値と前記シャッタの値を所定の組合せに基づいて第１の組合せに設定し、前記本撮影を実行する際に、前記被写体輝度に応じて前記絞りの値と前記シャッタの値を前記第１の組合せとは異なる第２の組合せに設定する制御手段と、前記オートフォーカスを実行した後に、前記絞りの値と前記シャッタの値によって定まる露光量を変えずに、前記絞りの値を変更するシフト手段と、を備え、前記制御手段は、前記シフト手段により前記絞りの値が変更された後に前記オートフォーカスを行う場合には、前記第１の組合せの絞りの値ではなく、前記シフト手段により変更された前記絞りの値を優先して設定することを特徴とする。
【手続補正２】
【補正対象書類名】明細書
【補正対象項目名】００１２
【補正方法】変更
【補正の内容】
【００１２】
また、本発明に係る撮像装置は、被写体からの反射光を電気信号に変換して出力する撮像素子と、前記撮像素子への入射光量を制御する絞りと、前記撮像素子が前記反射光を受けて電荷を蓄積する電荷蓄積時間を制御するシャッタと、本撮影を実行する前に前記被写体に対するオートフォーカスを実行するオートフォーカス手段と、前記オートフォーカスを実行する際と、前記本撮影を実行する際のそれぞれにおいて、被写体輝度に応じて前記絞りの値と前記シャッタの値を設定する制御手段と、本撮影時の露出条件の補正を指示する露出補正手段と、を備え、前記制御手段は、前記露出補正手段によって前記露出条件の補正が指示された場合には、前記オートフォーカスを実行する際に、前記絞りの値を所定の組合せに基づいて前記被写体輝度に応じて第１の組合せに設定し、前記本撮影を実行する際に、前記絞りの値を前記被写体輝度に応じて前記第１の組合せと異なる第２の組合せに設定し、前記露出補正手段によって前記露出条件の補正が指示されていない場合には、前記オートフォーカスを実行する際と前記本撮影を実行する際の両方において、前記絞りの値を前記被写体輝度に応じて前記第２の組合せに設定し、前記第１の組合せは、前記第２の組合せよりも、前記絞りの値として開放寄りの値を優先するものであることを特徴とする。
【手続補正３】
【補正対象書類名】明細書
【補正対象項目名】００４２
【補正方法】変更
【補正の内容】
【００４２】
図５の各図において、実線はＡｖ（Aperture Value、絞り）値を、破線はＴｖ（Time Value、シャッタ速度）値を、点線はＧａｉｎ値をそれぞれ示している。また、横軸は被写体輝度であり、横軸の右側に行くにしたがって高輝度となる。縦軸にはＡｖ値、Ｔｖ値、Ｇａｉｎ値が取られており、縦軸の上側に行くにしたがって大きい値を取る。なお、システム制御部１１２は、撮像素子１０６の出力信号と、絞り及びシャッタ１０２の絞り値及びシャッタ速度と、ゲインアップ量とから被写体輝度を算出する。
【手続補正４】
【補正対象書類名】特許請求の範囲
【補正対象項目名】全文
【補正方法】変更
【補正の内容】
【特許請求の範囲】
【請求項１】
被写体からの反射光を電気信号に変換して出力する撮像素子と、
前記撮像素子への入射光量を制御する絞りと、
前記撮像素子が前記反射光を受けて電荷を蓄積する電荷蓄積時間を制御するシャッタと、
本撮影を実行する前に前記被写体に対するオートフォーカスを実行するオートフォーカス手段と、
前記オートフォーカスを実行する際に、被写体輝度に応じて前記絞りの値と前記シャッタの値を所定の組合せに基づいて第１の組合せに設定し、前記本撮影を実行する際に、前記被写体輝度に応じて前記絞りの値と前記シャッタの値を前記第１の組合せとは異なる第２の組合せに設定する制御手段と、
前記オートフォーカスを実行した後に、前記絞りの値と前記シャッタの値によって定まる露光量を変えずに、前記絞りの値を変更するシフト手段と、を備え、
前記制御手段は、前記シフト手段により前記絞りの値が変更された後に前記オートフォーカスを行う場合には、前記第１の組合せの絞りの値ではなく、前記シフト手段により変更された前記絞りの値を優先して設定することを特徴とする撮像装置。
【請求項２】
前記制御手段は、前記シフト手段により前記絞りの値が変更された後に前記オートフォーカスを行う場合には、変更された前記絞りの値の変動分だけ前記シャッタによるシャッタ速度を変更することを特徴とする請求項１記載の撮像装置。
【請求項３】
被写体からの反射光を電気信号に変換して出力する撮像素子と、
前記撮像素子への入射光量を制御する絞りと、
前記撮像素子が前記反射光を受けて電荷を蓄積する電荷蓄積時間を制御するシャッタと、
本撮影を実行する前に前記被写体に対するオートフォーカスを実行するオートフォーカス手段と、
前記オートフォーカスを実行する際と、前記本撮影を実行する際のそれぞれにおいて、被写体輝度に応じて前記絞りの値と前記シャッタの値を設定する制御手段と、
本撮影時の露出条件の補正を指示する露出補正手段と、を備え、
前記制御手段は、
前記露出補正手段によって前記露出条件の補正が指示された場合には、前記オートフォーカスを実行する際に、前記絞りの値を所定の組合せに基づいて前記被写体輝度に応じて第１の組合せに設定し、前記本撮影を実行する際に、前記絞りの値を前記被写体輝度に応じて前記第１の組合せと異なる第２の組合せに設定し、
前記露出補正手段によって前記露出条件の補正が指示されていない場合には、前記オートフォーカスを実行する際と前記本撮影を実行する際の両方において、前記絞りの値を前記被写体輝度に応じて前記第２の組合せに設定し、
前記第１の組合せは、前記第２の組合せよりも、前記絞りの値として開放寄りの値を優先するものであることを特徴とする撮像装置。
【請求項４】
前記制御手段は、前記露出補正手段によって前記露出条件を高輝度側に補正するよう指示された場合には、前記オートフォーカスを実行する際に、前記絞りの値を前記被写体輝度に応じて前記第１の組合せに設定し、前記露出補正手段によって前記露出条件を低輝度側に補正するよう指示された場合には、前記オートフォーカスを実行する際に、前記絞りの値を前記被写体輝度に応じて前記第２の組合せに設定することを特徴とする請求項３記載の撮像装置。
【請求項５】
前記第１の組合せは、前記シャッタによるシャッタ速度を所定の範囲内で制限するものであることを特徴とする請求項１乃至４のいずれか１項に記載の撮像装置。
【請求項６】
前記第１の組合せは、前記シャッタによるシャッタ速度を、前記オートフォーカスを実行する際の前記撮像素子のフレームレートの逆数と同一の値、または、該逆数より短い値に制限することを特徴とする請求項５記載の撮像装置。
【請求項７】
被写体からの反射光を電気信号に変換して出力する撮像素子と、前記撮像素子への入射光量を制御する絞りと、前記撮像素子が前記反射光を受けて電荷を蓄積する電荷蓄積時間を制御するシャッタと、本撮影を実行する前に前記被写体に対するオートフォーカスを実行するオートフォーカス手段とを有する撮像装置の制御方法であって、
前記オートフォーカスを実行する際に、被写体輝度に応じて前記絞りの値と前記シャッタの値を所定の組合せに基づいて第１の組合せに設定し、前記本撮影を実行する際に、前記被写体輝度に応じて前記絞りの値と前記シャッタの値を前記第１の組合せとは異なる第２の組合せに設定する制御ステップと、
前記オートフォーカスを実行した後に、前記絞りの値と前記シャッタの値によって定まる露光量を変えずに、前記絞りの値を変更するシフトステップとを備え、
前記制御ステップでは、前記シフトステップにより前記絞りの値が変更された後に、前記オートフォーカスを行う場合には、前記第１の組合せの絞りの値ではなく、前記シフトステップにより変更された前記絞りの値を優先して設定することを特徴とする制御方法。
【請求項８】
被写体からの反射光を電気信号に変換して出力する撮像素子と、前記撮像素子への入射光量を制御する絞りと、前記撮像素子が前記反射光を受けて電荷を蓄積する電荷蓄積時間を制御するシャッタと、本撮影を実行する前に前記被写体に対するオートフォーカスを実行するオートフォーカス手段とを有する撮像装置の制御方法であって、
前記オートフォーカスを実行する際と、前記本撮影を実行する際のそれぞれにおいて、被写体輝度に応じて前記絞りの値と前記シャッタの値を設定する制御ステップと、
本撮影時の露出条件の補正を指示する露出補正ステップとを備え、
前記制御ステップでは、
前記露出補正ステップにおいて前記露出条件の補正が指示された場合には、前記オートフォーカスを実行する際に、前記絞りの値を所定の組合せに基づいて前記被写体輝度に応じて第１の組合せに設定し、前記本撮影を実行する際に、前記絞りの値を前記被写体輝度に応じて前記第１の組合せと異なる第２の組合せに設定し、
前記露出補正ステップによって前記露出条件の補正が指示されていない場合には、前記オートフォーカスを実行する際と前記本撮影を実行する際の両方において、前記絞りの値を前記被写体輝度に応じて前記第２の組合せに設定し、
前記第１の組合せは、前記第２の組合せよりも、前記絞りの値として開放寄りの値を優先するものであることを特徴とする制御方法。